(57)【特許請求の範囲】
【請求項１】
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
２枚以上の画像と当該画像に各々対応するテキストとが表示範囲に含まれる場合に、前記２枚以上の画像を前記表示範囲内に全て同時に表示させるか、又は、当該２枚以上の画像を一部分ずつ交代で表示させるかを所定の条件に基づいて選択する表示選択手段と、
を備え、
前記解析設定手段は、前記表示選択手段による選択に基づいて、当該表示範囲に前記２枚以上の画像を全て同時に表示するように前記表示レイアウトを設定するか、又は、当該表示範囲に前記２枚以上の画像のうちの一部が表示可能な画像表示領域を含むように前記表示レイアウトを設定し、前記２枚以上の画像を一部分ずつ交代で表示させる
ことを特徴とする電子文書表示装置。
【請求項２】
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴とする電子文書表示装置。
【請求項３】
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
前記表示手段による表示範囲内に初めて含まれる画像の前記表示手段における表示位置及び表示サイズを当該画像の識別情報と関連付けて記憶する記憶手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記第１修正手段は、前記記憶手段に記憶された前記画像が前記表示範囲内に含まれる場合に、前記記憶手段に記憶された表示位置及び表示サイズの情報に基づいて当該画像の表示位置及び表示サイズを設定する
ことを特徴とする電子文書表示装置。
【請求項４】
前記表示選択手段は、前記表示範囲に含まれる前記画像の表示サイズが前記表示手段により表示可能な最大表示サイズと比較して所定の割合よりも大きい場合に、前記２枚以上の画像を一部分ずつ交代で表示させることを選択することを特徴とする請求項１記載の電子文書表示装置。
【請求項５】
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示手段は、当該画像表示領域に前記２枚以上の画像を交代で表示する
ことを特徴とする請求項２又は３記載の電子文書表示装置。
【請求項６】
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示手段は、当該画像表示領域に前記２枚以上の画像を交代で表示し、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴とする請求項３記載の電子文書表示装置。
【請求項７】
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴とする請求項１又は４記載の電子文書表示装置。
【請求項８】
前記表示範囲内に初めて含まれる画像の前記表示手段における表示位置及び表示サイズを当該画像の識別情報と関連付けて記憶する記憶手段を備え、
前記第１修正手段は、当該記憶手段に記憶された前記画像が前記表示範囲内に含まれる場合に、前記記憶手段に記憶された表示位置及び表示サイズの情報に基づいて当該画像の表示位置及び表示サイズを設定する
ことを特徴とする請求項１、２、４、７の何れか一項に記載の電子文書表示装置。
【請求項９】
前記解析設定手段は、前記表示範囲に追加された前記画像が前記電子文書における当該表示範囲以前の表示範囲で既に表示されている場合には、当該画像の表示サイズを一度目に表示された際の表示サイズよりも縮小する
ことを特徴とする請求項１〜８の何れか一項に記載の電子文書表示装置。
【請求項１０】
前記解析設定手段は、前記表示範囲に含まれる前記画像の表示サイズが前記表示手段により表示可能な最大表示サイズと比較して所定の割合よりも大きい場合には、当該画像の表示部分が前記所定の割合以下となるように前記画像の表示サイズを縮小する
ことを特徴とする請求項１〜９の何れか一項に記載の電子文書表示装置。
【請求項１１】
ユーザーの命令入力を受け付ける操作手段を備え、
前記表示選択手段は、前記操作手段が受け付けた命令に基づいて前記２枚以上の画像の表示方法を選択する
ことを特徴とする請求項１、４、７の何れか一項に記載の電子文書表示装置。
【請求項１２】
前記表示手段が前記２枚以上の画像を一部分ずつ交代で表示する場合には、当該表示手段により表示させる画像を所定の時間間隔で切り替える切替制御手段を更に備える
ことを特徴とする請求項１、４、５、６、７の何れか一項に記載の電子文書表示装置。
【請求項１３】
ユーザーの命令入力を受け付ける操作手段を備え、
前記表示手段が前記２枚以上の画像を一部分ずつ交代で表示する場合には、前記操作手段が受け付けた命令に基づいて前記表示手段により表示させる画像を切り替える切替制御手段を更に備える
ことを特徴とする請求項１、４、５、６、７の何れか一項に記載の電子文書表示装置。
【請求項１４】
前記解析設定手段は、
２枚以上の画像に各々対応するテキストのそれぞれ少なくとも一部が前記表示範囲に含まれる場合に、当該表示範囲における前記テキストの分量の比率を求める表示比率算出手段を更に備え、
前記表示範囲において、最初に出現する前記テキスト及び最後に出現する前記テキストの分量の比率が何れも所定の範囲内である場合には、前記第１修正手段による表示レイアウトの修正を行い、前記最初に出現するテキスト又は前記最後に出現するテキストの分量の比率の何れかが前記所定の範囲外である場合には、前記第２修正手段による表示レイアウトの修正を行う
ことを特徴とする請求項２、６、７の何れか一項に記載の電子文書表示装置。
【請求項１５】
前記解析設定手段は、前記予め定められた表示形式に基づいて、前記表示手段による表示範囲に前記第１修正手段又は前記第２修正手段による修正を反映させるか否かを選択する
ことを特徴とする請求項２、６、７、１４の何れか一項に記載の電子文書表示装置。
【請求項１６】
所定の条件で、前記表示範囲に含まれる画像を一時的に消去、縮小、又は再表示させる表示制御手段を備え、
前記解析設定手段は、前記画像の消去、縮小、又は再表示が設定された場合には、前記第１修正手段又は前記第２修正手段により、前記電子文書のテキストの表示範囲、及び、前記表示レイアウトを修正する
ことを特徴とする請求項２、６、７、１４、１５の何れか一項に記載の電子文書表示装置。
【請求項１７】
前記表示制御手段は、前記画像が表示されてから所定の経過時間の後に当該画像を消去させる
ことを特徴とする請求項１６記載の電子文書表示装置。
【請求項１８】
ユーザーの命令入力を受け付ける操作手段を備え、
前記表示制御手段は、当該操作手段が受け付けた命令に基づいて、前記表示範囲に含まれる画像を一時的に消去、縮小、又は再表示させる
ことを特徴とする請求項１６又は１７記載の電子文書表示装置。
【請求項１９】
前記解析設定手段は、
前記電子文書が構造化言語で記載されている場合に、当該電子文書の解析及び設定を行う
ことを特徴とする請求項１〜１８の何れか一項に記載の電子文書表示装置。
【請求項２０】
前記画像に対応するテキスト範囲は、当該画像が表示指定されている段落内のテキストである
ことを特徴とする請求項１〜１９の何れか一項に記載の電子文書表示装置。
【請求項２１】
前記画像に対応するテキスト範囲は、当該画像について直接明示的に言及されている記載が含まれる段落内のテキストである
ことを特徴とする請求項１〜１９の何れか一項に記載の電子文書表示装置。
【請求項２２】
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
２枚以上の画像と当該画像に各々対応するテキストとが前記出力範囲に含まれる場合に、前記２枚以上の画像を前記出力範囲内に全て同時に出力させるか、又は、当該２枚以上の画像を一部分ずつ交代で出力させるかを所定の条件に基づいて選択する出力選択手段と、
を備え、
前記解析設定手段は、前記出力選択手段による選択に基づいて、当該出力範囲に前記２枚以上の画像を全て同時に出力するように前記出力レイアウトを設定するか、又は、当該出力範囲に前記２枚以上の画像のうちの一部が出力可能な画像出力領域を含むように前記出力レイアウトを設定し、前記２枚以上の画像を一部分ずつ交代で出力させる
ことを特徴とする画像処理装置。
【請求項２３】
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
を備え、
前記判別手段は、前記画像、又は、当該画像に対応するテキストのうち少なくとも一部の何れかのみが前記出力範囲に含まれているか否かを判別可能であり、
前記解析設定手段は、
前記判別手段により前記画像、又は、当該画像に対応するテキストのうち少なくとも一部の何れかのみが前記出力範囲に含まれていると判別された場合に、所定の条件で、当該出力範囲に含まれている前記画像、又は、前記出力範囲に含まれていない画像に対応するテキストを前記出力範囲から外して出力レイアウトの修正を行う第２修正手段を更に備える
ことを特徴とする画像処理装置。
【請求項２４】
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
前記出力範囲内に初めて含まれる画像の出力位置及び出力サイズを当該画像の識別情報と関連付けて記憶する記憶手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
を備え、
前記第１修正手段は、前記記憶手段に記憶された前記画像が前記出力範囲内に含まれる場合に、前記記憶手段に記憶された出力位置及び出力サイズの情報に基づいて当該画像の出力位置及び出力サイズを設定する
ことを特徴とする画像処理装置。
【請求項２５】
前記出力選択手段は、前記出力範囲に含まれる前記画像の出力サイズが前記出力手段により出力可能な最大出力サイズと比較して所定の割合よりも大きい場合に、前記２枚以上の画像を一部分ずつ交代で出力させることを選択することを特徴とする請求項２２記載の画像処理装置。
【請求項２６】
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
２枚以上の画像と当該画像に各々対応するテキストとが出力範囲に含まれる場合に、前記２枚以上の画像を前記出力範囲内に全て同時に出力させるか、又は、当該２枚以上の画像を一部分ずつ交代で出力させるかを所定の条件に基づいて選択する出力選択ステップと、
を含み、
前記解析設定ステップは、前記出力選択手段による選択に基づいて、当該出力範囲に前記２枚以上の画像を全て同時に出力するように前記出力レイアウトを設定するか、又は、当該出力範囲に前記２枚以上の画像のうちの一部が出力可能な画像出力領域を含むように前記出力レイアウトを設定し、前記２枚以上の画像を一部分ずつ交代で出力させる
ことを特徴とする画像出力方法。
【請求項２７】
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
を含み、
前記判別ステップは、前記画像、又は、当該画像に対応するテキストのうち少なくとも一部の何れかのみが前記出力範囲に含まれているか否かを判別可能であり、
前記解析設定ステップは、
前記判別ステップで前記画像、又は、当該画像に対応するテキストのうち少なくとも一部の何れかのみが前記出力範囲に含まれていると判別された場合に、所定の条件で、当該出力範囲に含まれている前記画像、又は、前記出力範囲に含まれていない画像に対応するテキストを前記出力範囲から外して出力レイアウトの修正を行う第２修正ステップを更に含む
ことを特徴とする画像出力方法。
【請求項２８】
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
前記出力範囲内に初めて含まれる画像の出力位置及び出力サイズを当該画像の識別情報と関連付けて記憶手段に記憶させる記憶ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
を含み、
前記第１修正ステップは、前記記憶ステップで記憶された前記画像が前記出力範囲内に含まれる場合に、前記記憶ステップで記憶された出力位置及び出力サイズの情報に基づいて当該画像の出力位置及び出力サイズを設定する
ことを特徴とする画像出力方法。
【請求項２９】
前記出力選択ステップは、前記出力範囲に含まれる前記画像の出力サイズが出力可能な最大出力サイズと比較して所定の割合よりも大きい場合に、前記２枚以上の画像を一部分ずつ交代で出力させることを選択することを特徴とする請求項２６記載の画像出力方法。
【請求項３０】
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
２枚以上の画像と当該画像に各々対応するテキストとが表示範囲に含まれる場合に、前記２枚以上の画像を前記表示範囲内に全て同時に表示させるか、又は、当該２枚以上の画像を一部分ずつ交代で表示させるかを所定の条件に基づいて選択する表示選択手段と、
を備え、
前記解析設定手段は、前記表示選択手段による選択に基づいて、当該表示範囲に前記２枚以上の画像を全て同時に表示するように前記表示レイアウトを設定するか、又は、当該表示範囲に前記２枚以上の画像のうちの一部が表示可能な画像表示領域を含むように前記表示レイアウトを設定し、当該２枚以上の画像を一部分ずつ交代で表示させる
ことを特徴とするプログラム。
【請求項３１】
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴とするプログラム。
【請求項３２】
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記表示手段による表示範囲内に初めて含まれる画像の前記表示手段における表示位置及び表示サイズを当該画像の識別情報と関連付けて記憶し、
前記第１修正手段は、当該記憶された前記画像が前記表示範囲内に含まれる場合に、前記記憶された表示位置及び表示サイズの情報に基づいて当該画像の表示位置及び表示サイズを設定する
ことを特徴とするプログラム。
【請求項３３】
前記表示選択手段は、前記表示範囲に含まれる前記画像の表示サイズが前記表示手段により表示可能な最大表示サイズと比較して所定の割合よりも大きい場合に、前記２枚以上の画像を一部分ずつ交代で表示させることを選択することを特徴とする請求項３０記載のプログラム。
【請求項３４】
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示出力手段は、当該画像表示領域に前記２枚以上の画像を交代で表示させる
ことを特徴とする請求項３１又は３２記載のプログラム。
【請求項３５】
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示出力手段は、当該画像表示領域に前記２枚以上の画像を交代で表示させ、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴とする請求項３２記載のプログラム。
【請求項３６】
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段
を更に備えることを特徴とする請求項３０又は３３記載のプログラム。
【請求項３７】
前記解析設定手段は、
前記表示手段による表示範囲内に初めて含まれる画像の前記表示手段における表示位置及び表示サイズを当該画像の識別情報と関連付けて記憶し、
前記第１修正手段は、当該記憶された前記画像が前記表示範囲内に含まれる場合に、前記記憶された表示位置及び表示サイズの情報に基づいて当該画像の表示位置及び表示サイズを設定する
ことを特徴とする請求項３０、３１、３３、３６の何れか一項に記載のプログラム。
【請求項３８】
前記解析設定手段は、前記表示範囲に追加された前記画像が前記電子文書における当該表示範囲以前の表示範囲に既に表示されている場合には、当該画像の表示サイズを一度目に表示された際の表示サイズよりも縮小する
ことを特徴とする請求項３０〜３７の何れか一項に記載のプログラム。
【請求項３９】
前記解析設定手段は、前記表示範囲に含まれる前記画像の表示サイズが前記表示手段により表示可能な最大表示サイズと比較して所定の割合よりも大きい場合には、当該画像の表示部分が前記所定の割合以下となるように前記画像の表示サイズを縮小する
ことを特徴とする請求項３０〜３８の何れか一項に記載のプログラム。
【請求項４０】
前記表示選択手段は、ユーザーの命令入力を受け付ける操作手段が受け付けた命令に基づいて前記２枚以上の画像の表示方法を選択する
ことを特徴とする請求項３０、３３、３６の何れか一項に記載のプログラム。
【請求項４１】
前記表示出力手段が前記２枚以上の画像を一部分ずつ交代で表示させる場合には、当該表示させる画像を所定の時間間隔で切り替える切替制御手段を更に備える
ことを特徴とする請求項３０、３３、３４、３５、３６の何れか一項に記載のプログラム。
【請求項４２】
前記表示出力手段が前記２枚以上の画像を一部分ずつ交代で表示させる場合には、ユーザーの命令入力を受け付ける操作手段が受け付けた命令に基づいて表示させる画像を切り替える切替制御手段を更に備える
ことを特徴とする請求項３０、３３、３４、３５、３６の何れか一項に記載のプログラム。
【請求項４３】
前記解析設定手段は、
２枚以上の画像に各々対応するテキストのそれぞれ少なくとも一部が前記表示範囲に含まれる場合に、当該表示範囲における前記テキストの分量の比率を求める表示比率算出手段を更に備え、
前記表示範囲において、最初に出現する前記テキスト及び最後に出現する前記テキストの分量の比率が何れも所定の範囲内である場合には、前記第１修正手段による表示レイアウトの修正を行い、前記最初に出現するテキスト又は前記最後に出現するテキストの分量の比率の何れかが前記所定の範囲外である場合には、前記第２修正手段による表示レイアウトの修正を行う
ことを特徴とする請求項３１、３５、３６の何れか一項に記載のプログラム。
【請求項４４】
前記解析設定手段は、前記予め定められた表示形式に基づいて、前記表示手段による表示範囲に前記第１修正手段又は前記第２修正手段による修正を反映させるか否かを選択する
ことを特徴とする請求項３１、３５、３６、４３の何れか一項に記載のプログラム。
【請求項４５】
所定の条件で、前記表示範囲に含まれる画像を一時的に消去、縮小、又は再表示させる表示制御手段を備え、
前記解析設定手段は、前記画像の消去、縮小、又は再表示が設定された場合には、前記第１修正手段又は前記第２修正手段により、前記電子文書のテキストの表示範囲、及び、前記表示レイアウトを修正する
ことを特徴とする請求項３１、３５、３６、４３、４４の何れか一項に記載のプログラム。
【請求項４６】
前記表示制御手段は、前記画像が表示されてから所定の経過時間の後に当該画像を消去させる
ことを特徴とする請求項４５記載のプログラム。
【請求項４７】
前記表示制御手段は、ユーザーの命令入力を受け付ける操作手段が受け付けた命令に基づいて、前記表示範囲に含まれる画像を一時的に消去、縮小、又は再表示させる
ことを特徴とする請求項４５又は４６記載のプログラム。
【請求項４８】
前記解析設定手段は、
前記電子文書が構造化言語で記載されている場合に、当該電子文書の解析及び設定を行う
ことを特徴とする請求項３０〜４７の何れか一項に記載のプログラム。
【請求項４９】
前記画像に対応するテキスト範囲は、当該画像が表示指定されている段落内のテキストである
ことを特徴とする請求項３０〜４８の何れか一項に記載のプログラム。
【請求項５０】
前記画像に対応するテキスト範囲は、当該画像について直接明示的に言及されている記載が含まれる段落内のテキストである
ことを特徴とする請求項３０〜４８の何れか一項に記載のプログラム。
【発明の詳細な説明】
【技術分野】
【０００１】
この発明は、電子文書表示装置、画像処理装置、画像出力方法、及び、プログラムに関する。
【背景技術】
【０００２】
近年、デジタル化された文章データ及び画像データを有する電子書籍や電子ペーパーといった電子文書を表示させることが可能な表示装置がある。
【０００３】
電子文書には、ＰＤＦ（Portable Document Format）形式のように、予めレイアウト設定が全てなされたものと、ＥＰＵＢ形式のように、ＸＭＬを用いた共通書式によりデータの表示順、改ページ、及び、段落の開始位置といった限られた情報のみを保持するものとがある。これらのうち、ＸＭＬを用いた形式の電子文書を表示装置で表示させる場合には、表示装置の表示画面に表示される文字サイズをユーザーが各々の好みに合わせて適宜変更すると、表示画面のサイズに合わせて改行位置や一画面当たりに表示される行数が適宜調節されるリフローが行われる。
【０００４】
ＸＭＬを用いた形式の電子文書では、このような柔軟な表示方法に対応した結果、文章と、画像、図面、タイトル、ヘッダーやフッターといった他の要素とが混在する場合には、レイアウトが作成者の意図と全く異なってしまうケースが生じるという問題があった。そこで、特許文献１には、文章表示部分や画像表示部分を各々ブロック化して画面内を分割し、最低限のレイアウトの設定を可能とすると共に、ブロックごとにサイズの拡大や縮小の設定が可能な表示処理を行う情報処理装置について記載されている。
【先行技術文献】
【特許文献】
【０００５】
【特許文献１】特開２００８−１３５０２４号公報
【発明の概要】
【発明が解決しようとする課題】
【０００６】
しかしながら、特に、解説書、技術書、或いは、学術文書といった文書では、一の画像を複数回に亘って参照する場合や、一の画像に対する説明文が一頁に表示される文書よりも長い場合がある。このような場合に、電子文書表示装置では、画像とこの画像に対応する文章とが同時に表示画面に表示されないことで、画像の参照が不便になるという課題がある。
【０００７】
この発明の目的は、画像に対応する文章を表示する場合に、参照される画像を見やすく配置することの可能な電子文書表示装置、画像処理装置、画像出力方法、及び、プログラムを提供することにある。
【課題を解決するための手段】
【０００８】
上記目的を達成するため、請求項１に記載の発明は、
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
２枚以上の画像と当該画像に各々対応するテキストとが表示範囲に含まれる場合に、前記２枚以上の画像を前記表示範囲内に全て同時に表示させるか、又は、当該２枚以上の画像を一部分ずつ交代で表示させるかを所定の条件に基づいて選択する表示選択手段と、
を備え、
前記解析設定手段は、前記表示選択手段による選択に基づいて、当該表示範囲に前記２枚以上の画像を全て同時に表示するように前記表示レイアウトを設定するか、又は、当該表示範囲に前記２枚以上の画像のうちの一部が表示可能な画像表示領域を含むように前記表示レイアウトを設定し、前記２枚以上の画像を一部分ずつ交代で表示させる
ことを特徴としている。
また、請求項２に記載の発明は、
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴としている。
また、請求項３に記載の発明は、
テキストデータと画像データとを含む電子文書データの内容を解析し、予め定められた表示形式に従って当該電子文書の表示レイアウトを設定する解析設定手段と、
前記解析設定手段により設定された表示レイアウトで前記電子文書を描画表示する表示手段と、
前記表示手段による表示範囲内に初めて含まれる画像の前記表示手段における表示位置及び表示サイズを当該画像の識別情報と関連付けて記憶する記憶手段と、
を備える電子文書表示装置であって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記第１修正手段は、前記記憶手段に記憶された前記画像が前記表示範囲内に含まれる場合に、前記記憶手段に記憶された表示位置及び表示サイズの情報に基づいて当該画像の表示位置及び表示サイズを設定する
ことを特徴としている。
また、請求項４に記載の発明は、請求項１記載の電子文書表示装置において、
前記表示選択手段は、前記表示範囲に含まれる前記画像の表示サイズが前記表示手段により表示可能な最大表示サイズと比較して所定の割合よりも大きい場合に、前記２枚以上の画像を一部分ずつ交代で表示させることを選択することを特徴としている。
また、請求項５に記載の発明は、請求項２又は３記載の電子文書表示装置において、
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示手段は、当該画像表示領域に前記２枚以上の画像を交代で表示する
ことを特徴としている。
また、請求項６に記載の発明は、請求項３記載の電子文書表示装置において、
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示手段は、当該画像表示領域に前記２枚以上の画像を交代で表示し、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴としている。
また、請求項７に記載の発明は、請求項１又は４記載の電子文書表示装置において、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴としている。
また、請求項８に記載の発明は、請求項１、２、４、７の何れか一項に記載の電子文書表示装置において、
前記表示範囲内に初めて含まれる画像の前記表示手段における表示位置及び表示サイズを当該画像の識別情報と関連付けて記憶する記憶手段を備え、
前記第１修正手段は、当該記憶手段に記憶された前記画像が前記表示範囲内に含まれる場合に、前記記憶手段に記憶された表示位置及び表示サイズの情報に基づいて当該画像の表示位置及び表示サイズを設定する
ことを特徴としている。
【０００９】
請求項９に記載の発明は、請求項１〜８の何れか一項に記載の電子文書表示装置において、
前記解析設定手段は、前記表示範囲に追加された前記画像が前記電子文書における当該表示範囲以前の表示範囲で既に表示されている場合には、当該画像の表示サイズを一度目に表示された際の表示サイズよりも縮小する
ことを特徴としている。
【００１０】
請求項１０に記載の発明は、請求項１〜９の何れか一項に記載の電子文書表示装置において、
前記解析設定手段は、前記表示範囲に含まれる前記画像の表示サイズが前記表示手段により表示可能な最大表示サイズと比較して所定の割合よりも大きい場合には、当該画像の表示部分が前記所定の割合以下となるように前記画像の表示サイズを縮小する
ことを特徴としている。
【００１３】
請求項１１に記載の発明は、請求項１、４、７の何れか一項に記載の電子文書表示装置において、
ユーザーの命令入力を受け付ける操作手段を備え、
前記表示選択手段は、前記操作手段が受け付けた命令に基づいて前記２枚以上の画像の表示方法を選択する
ことを特徴としている。
【００１４】
請求項１２に記載の発明は、請求項１、４、５、６、７の何れか一項に記載の電子文書表示装置において、
前記表示手段が前記２枚以上の画像を一部分ずつ交代で表示する場合には、当該表示手段により表示させる画像を所定の時間間隔で切り替える切替制御手段を更に備える
ことを特徴としている。
【００１５】
請求項１３に記載の発明は、請求項１、４、５、６、７の何れか一項に記載の電子文書表示装置において、
ユーザーの命令入力を受け付ける操作手段を備え、
前記表示手段が前記２枚以上の画像を一部分ずつ交代で表示する場合には、前記操作手段が受け付けた命令に基づいて前記表示手段により表示させる画像を切り替える切替制御手段を更に備える
ことを特徴としている。
【００１７】
請求項１４に記載の発明は、請求項２、６、７の何れか一項に記載の電子文書表示装置において、
前記解析設定手段は、
２枚以上の画像に各々対応するテキストのそれぞれ少なくとも一部が前記表示範囲に含まれる場合に、当該表示範囲における前記テキストの分量の比率を求める表示比率算出手段を更に備え、
前記表示範囲において、最初に出現する前記テキスト及び最後に出現する前記テキストの分量の比率が何れも所定の範囲内である場合には、前記第１修正手段による表示レイアウトの修正を行い、前記最初に出現するテキスト又は前記最後に出現するテキストの分量の比率の何れかが前記所定の範囲外である場合には、前記第２修正手段による表示レイアウトの修正を行う
ことを特徴としている。
【００１８】
請求項１５に記載の発明は、請求項２、６、７、１４の何れか一項に記載の電子文書表示装置において、
前記解析設定手段は、前記予め定められた表示形式に基づいて、前記表示手段による表示範囲に前記第１修正手段又は前記第２修正手段による修正を反映させるか否かを選択する
ことを特徴としている。
【００１９】
請求項１６に記載の発明は、請求項２、６、７、１４、１５の何れか一項に記載の電子文書表示装置において、
所定の条件で、前記表示範囲に含まれる画像を一時的に消去、縮小、又は再表示させる表示制御手段を備え、
前記解析設定手段は、前記画像の消去、縮小、又は再表示が設定された場合には、前記第１修正手段又は前記第２修正手段により、前記電子文書のテキストの表示範囲、及び、前記表示レイアウトを修正する
ことを特徴としている。
【００２０】
請求項１７に記載の発明は、請求項１６記載の電子文書表示装置において、
前記表示制御手段は、前記画像が表示されてから所定の経過時間の後に当該画像を消去させる
ことを特徴としている。
【００２１】
請求項１８に記載の発明は、請求項１６又は１７記載の電子文書表示装置において、
ユーザーの命令入力を受け付ける操作手段を備え、
前記表示制御手段は、当該操作手段が受け付けた命令に基づいて、前記表示範囲に含まれる画像を一時的に消去、縮小、又は再表示させる
ことを特徴としている。
【００２３】
請求項１９に記載の発明は、請求項１〜１８の何れか一項に記載の電子文書表示装置において、
前記解析設定手段は、
前記電子文書が構造化言語で記載されている場合に、当該電子文書の解析及び設定を行う
ことを特徴としている。
【００２４】
請求項２０に記載の発明は、請求項１〜１９の何れか一項に記載の電子文書表示装置において、
前記画像に対応するテキスト範囲は、当該画像が表示指定されている段落内のテキストである
ことを特徴としている。
【００２５】
請求項２１に記載の発明は、請求項１〜１９の何れか一項に記載の電子文書表示装置において、
前記画像に対応するテキスト範囲は、当該画像について直接明示的に言及されている記載が含まれる段落内のテキストである
ことを特徴としている。
【００２６】
請求項２２に記載の発明は、
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
２枚以上の画像と当該画像に各々対応するテキストとが前記出力範囲に含まれる場合に、前記２枚以上の画像を前記出力範囲内に全て同時に出力させるか、又は、当該２枚以上の画像を一部分ずつ交代で出力させるかを所定の条件に基づいて選択する出力選択手段と、
を備え、
前記解析設定手段は、前記出力選択手段による選択に基づいて、当該出力範囲に前記２枚以上の画像を全て同時に出力するように前記出力レイアウトを設定するか、又は、当該出力範囲に前記２枚以上の画像のうちの一部が出力可能な画像出力領域を含むように前記出力レイアウトを設定し、前記２枚以上の画像を一部分ずつ交代で出力させる
ことを特徴としている。
また、請求項２３に記載の発明は、
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
を備え、
前記判別手段は、前記画像、又は、当該画像に対応するテキストのうち少なくとも一部の何れかのみが前記出力範囲に含まれているか否かを判別可能であり、
前記解析設定手段は、
前記判別手段により前記画像、又は、当該画像に対応するテキストのうち少なくとも一部の何れかのみが前記出力範囲に含まれていると判別された場合に、所定の条件で、当該出力範囲に含まれている前記画像、又は、前記出力範囲に含まれていない画像に対応するテキストを前記出力範囲から外して出力レイアウトの修正を行う第２修正手段を更に備える
ことを特徴としている。
また、請求項２４に記載の発明は、
テキストデータと画像データとを含む電子文書データの内容を解析し、予め定められた表示形式に従って当該電子文書の出力レイアウトを設定する解析設定手段と、
前記解析設定手段により設定された出力レイアウトで、定められた出力範囲ごとに前記電子文書データを出力する出力手段と、
を備える画像処理装置であって、
前記解析設定手段は、
前記出力手段による予め定められた一又は複数の出力範囲内に含まれるテキストと対応する画像が当該出力範囲に含まれているか否かを判別する判別手段と、
前記判別手段により前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正手段と、
前記出力範囲内に初めて含まれる画像の出力位置及び出力サイズを当該画像の識別情報と関連付けて記憶する記憶手段と、
を備え、
前記第１修正手段は、前記記憶手段に記憶された前記画像が前記出力範囲内に含まれる場合に、前記記憶手段に記憶された出力位置及び出力サイズの情報に基づいて当該画像の出力位置及び出力サイズを設定する
ことを特徴としている。
また、請求項２５に記載の発明は、請求項２２記載の画像処理装置において、
前記出力選択手段は、前記出力範囲に含まれる前記画像の出力サイズが前記出力手段により出力可能な最大出力サイズと比較して所定の割合よりも大きい場合に、前記２枚以上の画像を一部分ずつ交代で出力させることを選択することを特徴としている。
【００２７】
請求項２６に記載の発明は、
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
２枚以上の画像と当該画像に各々対応するテキストとが出力範囲に含まれる場合に、前記２枚以上の画像を前記出力範囲内に全て同時に出力させるか、又は、当該２枚以上の画像を一部分ずつ交代で出力させるかを所定の条件に基づいて選択する出力選択ステップと、
を含み、
前記解析設定ステップは、前記出力選択手段による選択に基づいて、当該出力範囲に前記２枚以上の画像を全て同時に出力するように前記出力レイアウトを設定するか、又は、当該出力範囲に前記２枚以上の画像のうちの一部が出力可能な画像出力領域を含むように前記出力レイアウトを設定し、前記２枚以上の画像を一部分ずつ交代で出力させる
ことを特徴としている。
また、請求項２７に記載の発明は、
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
を含み、
前記判別ステップは、前記画像、又は、当該画像に対応するテキストのうち少なくとも一部の何れかのみが前記出力範囲に含まれているか否かを判別可能であり、
前記解析設定ステップは、
前記判別ステップで前記画像、又は、当該画像に対応するテキストのうち少なくとも一部の何れかのみが前記出力範囲に含まれていると判別された場合に、所定の条件で、当該出力範囲に含まれている前記画像、又は、前記出力範囲に含まれていない画像に対応するテキストを前記出力範囲から外して出力レイアウトの修正を行う第２修正ステップを更に含む
ことを特徴としている。
また、請求項２８に記載の発明は、
テキストデータと画像データとを含む電子文書データの内容を解析し、予め定められた表示形式に従って当該電子文書の出力レイアウトを設定する解析設定ステップと、
前記解析設定ステップで設定された出力レイアウトで、定められた出力範囲ごとに前記電子文書データを出力する出力ステップと、
前記出力範囲内に初めて含まれる画像の出力位置及び出力サイズを当該画像の識別情報と関連付けて記憶手段に記憶させる記憶ステップと、
を含む動作を制御するＣＰＵによる画像出力方法であって、
前記解析設定ステップは、
前記出力ステップによる予め定められた一又は複数の出力範囲内に含まれるテキストと対応する画像が当該出力範囲に含まれているか否かを判別する判別ステップと、
前記判別ステップで前記テキストと対応する画像が前記出力範囲に含まれていないと判別された場合に、当該出力範囲内に前記画像を追加して、当該画像とこの画像に対応するテキストのうち少なくとも一部とが共に前記出力範囲内に含まれるように出力レイアウトの修正を行う第１修正ステップと、
を含み、
前記第１修正ステップは、前記記憶ステップで記憶された前記画像が前記出力範囲内に含まれる場合に、前記記憶ステップで記憶された出力位置及び出力サイズの情報に基づいて当該画像の出力位置及び出力サイズを設定する
ことを特徴としている。
また、請求項２９に記載の発明は、請求項２６に記載の画像出力方法において、
前記出力選択ステップは、前記出力範囲に含まれる前記画像の出力サイズが出力可能な最大表示サイズと比較して所定の割合よりも大きい場合に、前記２枚以上の画像を一部分ずつ交代で出力させることを選択することを特徴としている。
【００２８】
請求項３０に記載の発明は、
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
２枚以上の画像と当該画像に各々対応するテキストとが表示範囲に含まれる場合に、前記２枚以上の画像を前記表示範囲内に全て同時に表示させるか、又は、当該２枚以上の画像を一部分ずつ交代で表示させるかを所定の条件に基づいて選択する表示選択手段と、
を備え、
前記解析設定手段は、前記表示選択手段による選択に基づいて、当該表示範囲に前記２枚以上の画像を全て同時に表示するように前記表示レイアウトを設定するか、又は、当該表示範囲に前記２枚以上の画像のうちの一部が表示可能な画像表示領域を含むように前記表示レイアウトを設定し、当該２枚以上の画像を一部分ずつ交代で表示させる
ことを特徴としている。
また、請求項３１に記載の発明は、
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴としている。
また、請求項３２に記載の発明は、
テキストデータと画像データとを含む電子文書を描画表示可能な表示手段を備えたコンピューターを、
電子文書データの内容を解析し、予め定められた表示形式に従って当該電子文書の表示レイアウトを設定する解析設定手段、
前記解析設定手段により設定された表示レイアウトで、前記電子文書データを前記表示手段に表示させる表示出力手段、
として機能させるためのプログラムであって、
前記解析設定手段は、
前記表示手段による表示範囲内に含まれるテキストと対応する画像が当該表示範囲に含まれているか否かを判別する判別手段と、
前記判別手段により前記テキストと対応する画像が前記表示範囲に含まれていないと判別された場合に、当該表示範囲内に前記画像を追加して、当該画像とこの画像に対応するテキストのうち少なくとも一部とが共に前記表示範囲内に含まれるように表示レイアウトの修正を行う第１修正手段と、
を備え、
前記表示手段による表示範囲内に初めて含まれる画像の前記表示手段における表示位置及び表示サイズを当該画像の識別情報と関連付けて記憶し、
前記第１修正手段は、当該記憶された前記画像が前記表示範囲内に含まれる場合に、前記記憶された表示位置及び表示サイズの情報に基づいて当該画像の表示位置及び表示サイズを設定する
ことを特徴としている。
また、請求項３３に記載の発明は、請求項３０記載のプログラムにおいて、
前記表示選択手段は、前記表示範囲に含まれる前記画像の表示サイズが前記表示手段により表示可能な最大表示サイズと比較して所定の割合よりも大きい場合に、前記２枚以上の画像を一部分ずつ交代で表示させることを選択することを特徴としている。
また、請求項３４に記載の発明は、請求項３１又は３２記載のプログラムにおいて、
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示出力手段は、当該画像表示領域に前記２枚以上の画像を交代で表示させる
ことを特徴としている。
また、請求項３５に記載の発明は、請求項３２記載のプログラムにおいて、
前記解析設定手段は、２枚以上の画像と当該画像に各々対応するテキストとが表示範囲に含まれる場合には、当該表示範囲に前記２枚以上の画像のうちの一部が表示可能な画像表示領域を含むように前記表示レイアウトを設定し、
前記表示出力手段は、当該画像表示領域に前記２枚以上の画像を交代で表示させ、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段を更に備える
ことを特徴としている。
また、請求項３６に記載の発明は、請求項３０又は３３記載のプログラムにおいて、
前記判別手段は、前記画像、又は、当該画像に対応するテキストのうち少なくとも一部の何れかのみが前記表示範囲に含まれているか否かを判別可能であり、
前記解析設定手段は、
前記判別手段により前記画像、又は、当該画像に対応するテキストのうち少なくとも一部の何れかのみが前記表示範囲に含まれていると判別された場合に、所定の条件で、当該表示範囲に含まれている前記画像、又は、前記表示範囲に含まれていない画像に対応するテキストを前記表示範囲から外して表示レイアウトの修正を行う第２修正手段
を更に備えることを特徴としている。
また、請求項３７に記載の発明は、請求項３０、３１、３３、３６の何れか一項に記載のプログラムにおいて、
前記解析設定手段は、
前記表示手段による表示範囲内に初めて含まれる画像の前記表示手段における表示位置及び表示サイズを当該画像の識別情報と関連付けて記憶し、
前記第１修正手段は、当該記憶された前記画像が前記表示範囲内に含まれる場合に、前記記憶された表示位置及び表示サイズの情報に基づいて当該画像の表示位置及び表示サイズを設定する
ことを特徴としている。
【００２９】
請求項３８に記載の発明は、請求項３０〜３７の何れか一項に記載のプログラムにおいて、
前記解析設定手段は、前記表示範囲に追加された前記画像が前記電子文書における当該表示範囲以前の表示範囲に既に表示されている場合には、当該画像の表示サイズを一度目に表示された際の表示サイズよりも縮小する
ことを特徴としている。
【００３０】
請求項３９に記載の発明は、請求項３０〜３８の何れか一項に記載のプログラムにおいて、
前記解析設定手段は、前記表示範囲に含まれる前記画像の表示サイズが前記表示手段により表示可能な最大表示サイズと比較して所定の割合よりも大きい場合には、当該画像の表示部分が前記所定の割合以下となるように前記画像の表示サイズを縮小する
ことを特徴としている。
【００３３】
請求項４０に記載の発明は、請求項３０、３３、３６の何れか一項に記載のプログラムにおいて、
前記表示選択手段は、ユーザーの命令入力を受け付ける操作手段が受け付けた命令に基づいて前記２枚以上の画像の表示方法を選択する
ことを特徴としている。
【００３４】
請求項４１に記載の発明は、請求項３０、３３、３４、３５、３６の何れか一項に記載のプログラムにおいて、
前記表示出力手段が前記２枚以上の画像を一部分ずつ交代で表示させる場合には、当該表示させる画像を所定の時間間隔で切り替える切替制御手段を更に備える
ことを特徴としている。
【００３５】
請求項４２に記載の発明は、請求項３０、３３、３４、３５、３６の何れか一項に記載のプログラムにおいて、
前記表示出力手段が前記２枚以上の画像を一部分ずつ交代で表示させる場合には、ユーザーの命令入力を受け付ける操作手段が受け付けた命令に基づいて表示させる画像を切り替える切替制御手段を更に備える
ことを特徴としている。
【００３７】
請求項４３に記載の発明は、請求項３１、３５、３６の何れか一項に記載のプログラムにおいて、
前記解析設定手段は、
２枚以上の画像に各々対応するテキストのそれぞれ少なくとも一部が前記表示範囲に含まれる場合に、当該表示範囲における前記テキストの分量の比率を求める表示比率算出手段を更に備え、
前記表示範囲において、最初に出現する前記テキスト及び最後に出現する前記テキストの分量の比率が何れも所定の範囲内である場合には、前記第１修正手段による表示レイアウトの修正を行い、前記最初に出現するテキスト又は前記最後に出現するテキストの分量の比率の何れかが前記所定の範囲外である場合には、前記第２修正手段による表示レイアウトの修正を行う
ことを特徴としている。
【００３８】
請求項４４に記載の発明は、請求項３１、３５、３６、４３の何れか一項に記載のプログラムにおいて、
前記解析設定手段は、前記予め定められた表示形式に基づいて、前記表示手段による表示範囲に前記第１修正手段又は前記第２修正手段による修正を反映させるか否かを選択する
ことを特徴としている。
【００３９】
請求項４５に記載の発明は、請求項３１、３５、３６、４３、４４の何れか一項に記載のプログラムにおいて、
所定の条件で、前記表示範囲に含まれる画像を一時的に消去、縮小、又は再表示させる表示制御手段を備え、
前記解析設定手段は、前記画像の消去、縮小、又は再表示が設定された場合には、前記第１修正手段又は前記第２修正手段により、前記電子文書のテキストの表示範囲、及び、前記表示レイアウトを修正する
ことを特徴としている。
【００４０】
請求項４６に記載の発明は、請求項４５記載のプログラムにおいて、
前記表示制御手段は、前記画像が表示されてから所定の経過時間の後に当該画像を消去させる
ことを特徴としている。
【００４１】
請求項４７に記載の発明は、請求項４５又は４６記載のプログラムにおいて、
前記表示制御手段は、ユーザーの命令入力を受け付ける操作手段が受け付けた命令に基づいて、前記表示範囲に含まれる画像を一時的に消去、縮小、又は再表示させる
ことを特徴としている。
【００４３】
請求項４８に記載の発明は、請求項３０〜４７の何れか一項に記載のプログラムにおいて、
前記解析設定手段は、
前記電子文書が構造化言語で記載されている場合に、当該電子文書の解析及び設定を行う
ことを特徴としている。
【００４４】
請求項４９に記載の発明は、請求項３０〜４８の何れか一項に記載のプログラムにおいて、
前記画像に対応するテキスト範囲は、当該画像が表示指定されている段落内のテキストである
ことを特徴としている。
【００４５】
請求項５０に記載の発明は、請求項３０〜４８の何れか一項に記載のプログラムにおいて、
前記画像に対応するテキスト範囲は、当該画像について直接明示的に言及されている記載が含まれる段落内のテキストである
ことを特徴としている。
【発明の効果】
【００４６】
本発明に従うと、画像と画像に対応する文章とを表示する場合に、文章から参照される画像を見やすく配置することができるという効果がある。
【図面の簡単な説明】
【００４７】
【図１】本発明の実施形態の電子文書表示装置の内部構成を示すブロック図である。
【図２】電子文書の形式の一つであるＥＰＵＢのファイル構成を示す図である。
【図３】ＥＰＵＢファイルにおけるスタイルシートファイル及び文書ファイルの内容の一部の例を示す図である。
【図４】本実施形態の電子文書表示装置における画像の表示例を示す図である。
【図５】本実施形態の電子文書表示装置における画像の表示例を示す図である。
【図６】本実施形態の電子文書表示装置における画像の表示例を示す図である。
【図７】本実施形態の電子文書表示装置における画像の表示例を示す図である。
【図８】本実施形態の電子文書表示装置における画像の表示例を示す図である。
【図９】本実施形態の電子文書表示装置における画像の表示例を示す図である。
【図１０】本実施形態の電子文書表示装置における画像の表示例を示す図である。
【図１１】本実施形態の電子文書表示装置における画像の表示例を示す図である。
【図１２】本実施形態の電子文書表示装置における画像の表示例を示す図である。
【図１３】本実施形態の電子文書表示装置における画像の表示例を示す図である。
【図１４】画像表示モードの切り替え設定画面を示す図である。
【図１５】電子文書表示制御処理の制御手順を示すフローチャートである。
【図１６】電子文書表示制御処理の制御手順を示すフローチャートの続きである。
【図１７】電子文書表示装置から小冊子設定で印刷出力を行う際の印刷表示の例を示す図である。
【発明を実施するための形態】
【００４８】
以下、本発明の実施の形態を図面に基づいて説明する。
図１は、本発明の実施形態の電子文書表示装置の内部構成を示すブロック図である。
【００４９】
電子文書表示装置１は、特には限られないが、例えば、専用の携帯型電子書籍リーダーである。
この電子文書表示装置１は、ＣＰＵ（Central Processing Unit）１１（解析設定手段、判別手段、第１修正手段、表示選択手段、切替制御手段、第２修正手段、表示比率算出手段、表示制御手段）と、ＲＯＭ（Read Only Memory）１２と、ＲＡＭ（Random Access Memory）１３と、記憶手段としての記憶部１４と、操作手段としての操作部１５と、表示手段としての表示部１６と、通信部１７と、などを備えている。
【００５０】
ＣＰＵ１１は、電子文書表示装置１の全体の動作を制御統括する。また、電子文書表示装置１は、ＲＯＭ１２に記憶された電子文書表示プログラム１２ａを実行することで、指定された電子文書を表示部１６に表示させる。
【００５１】
ＲＯＭ１２には、ＣＰＵ１１により実行される種々の制御プログラム、及び、これらの制御プログラムにより参照される初期設定データが記憶されている。また、このＲＯＭ１２には、電子文書表示プログラム１２ａが格納され、ユーザーが電子文書を閲覧する場合には、この電子文書表示プログラム１２ａが呼び出されて起動される。なお、このプログラム１２ａは、電子文書の表示レイアウトの設定までを行う電子文書出力プログラムと、この電子文書出力プログラムから出力された設定済みのデータに基づいて電子文書表示装置１で電子文書を表示させる表示プログラムとの個別のプログラムにより構成されるものであっても良い。
【００５２】
ＲＡＭ１３は、ＣＰＵ１１に作業用のメモリー空間を提供する揮発性メモリーである。また、このＲＡＭ１３には、電子文書表示プログラム１２ａの実行中に、既に表示された画像の情報や当該画像の配置情報が一時データとして記憶される。
【００５３】
記憶部１４は、取得された電子文書、各電子文書に設定されたブックマークや栞位置といった情報を記憶する不揮発性メモリーである。この記憶部１４は、内蔵の不揮発性メモリーに加えて、種々の可搬型記録媒体（例えば、ｍｉｃｒｏＳＤカード）の挿入スロットを備えることで、当該可搬型記憶媒体を外付けメモリーとして着脱可能な構成としても良い。
【００５４】
操作部１５は、例えば、複数の押しボタンスイッチにより構成されている。ユーザーがこれらの押しボタンスイッチを押下することで、ユーザー所望の電子文書を呼び出したり、ページめくり動作を行ったり、表示されている頁にブックマークをつけたりすることが出来る。
【００５５】
表示部１６は、電子文書の内容を表示するディスプレイであり、例えば、電子インクを用いた表示画面である。或いは、表示部１６として、液晶ディスプレイを用いることとしても良い。また、操作部１５と表示部１６とをまとめてタッチパネル式の操作が可能な液晶ディスプレイを用いることとしても良い。
【００５６】
通信部１７は、通信回線を介して外部装置と通信を行うためのインターフェイスである。この通信部１７に適用可能な通信回線としては、特定の有線接続方法又は無線接続方法に限られない。例えば、ブルートゥース（登録商標：Bluetooth）やワイヤレスＬＡＮを用いてコンピューターと無線通線を行うことが可能な構成であってもよいし、または、携帯電話回線を利用して直接電子書籍の販売サイトに接続可能としても良い。
【００５７】
次に、この電子文書表示装置１で表示可能な電子文書データについて説明する。
【００５８】
本実施形態の電子文書表示装置１では、予めレイアウトの設定がなされているＰＤＦファイルと、電子書籍に用いられる各種フォーマット、例えば、ＥＰＵＢファイルとが、それぞれ表示可能である。
【００５９】
図２は、ＥＰＵＢファイルのファイル構成を示す図である。
【００６０】
ＥＰＵＢファイルは、複数のファイルがＺＩＰ形式により圧縮、格納されたアーカイブファイルである。ＥＰＵＢファイルは、mimetypeファイル、META-INFフォルダーに格納されたファイル、及び、OEBPSフォルダーに格納されたファイルから構成される。このうち、mimetypeファイルは、非圧縮であり、META-INFフォルダー及びOEBPSフォルダーに格納された各ファイルは圧縮されている。
【００６１】
ＥＰＵＢ形式の電子文書における文書内容、文書と共に表示される画像、及び、文書や画像の表示フォーマットを規定するファイルは、何れもOEBPSフォルダーに格納されている。これらのファイルの名称は、特には限られない。例えば、図２に示した電子文書ファイル「サンプル.epub」では、文書データファイルが“documentX.xhtml”（Xは、１〜３の整数）であり、画像ファイルが、フォルダーimages内の“image1.jpeg”、“image2.gif”であり、また、スタイル設定ファイルが“stylesheet.css”である。
【００６２】
文書データファイルは、構造化言語ＸＭＬ（eXtension Markup Language）を用いて記載されたものが用いられ、例えば、ＸＨＴＭＬ（extensible Hypertext Markup Language）形式やＨＴＭＬ（Hypertext Markup Language）形式のものである。また、これらの文書データファイル内で記述された文章及び読み込み画像の表示形式が、スタイル設定ファイル“stylesheet.css”において記述されている。
【００６３】
文書データファイルから読み込まれる画像データとしては、電子文書表示装置１が解読、表示可能なフォーマットの画像データであれば良い。本実施形態の電子文書表示装置１が表示可能な画像データフォーマットとしては、例えば、ＧＩＦ形式、ＪＰＥＧ形式、ＰＮＧ形式などが挙げられる。
【００６４】
図３は、サンプル.epubファイルにおけるスタイル設定ファイル及び文書ファイルの内容の一部の例を示す図である。
【００６５】
図３（ａ）に示すように、スタイル設定ファイル“stylesheet.css”には、文章及び画像の表示に係る種々の設定が記述されたスタイルシートである。これらの設定のうち、画像の表示設定については、画像“fig1”を左寄せでの画像配置、画面横幅に対して相対的に４０％の表示サイズ、及び、画像下部のマージンを１ｅｍとする設定がなされている。一方、画像“fig4”を、画像の横幅を４７４ｐｘ、縦幅を３３２ｐｘの固定サイズで表示する設定がなされている。
【００６６】
また、図３（ｂ）に示すように、文書データファイル“document1.xhtml”には、表示させる実際の文章内容が記述されており、文章内容中にイメージタグ<img>を用いて図を表示させる記載（表示指定）が含まれている。このとき、「図１」として表示させる画像ファイル“images/image1.jpeg”に対してイメージタグ内でクラス“fig1”が設定されており、従って、スタイル設定ファイルで画像“fig1”に対して設定された画像の表示設定が適用される。ＥＰＵＢファイルでは、これらの記載に基づいて画像の表示位置（表示レイアウト）が決定されて表示部１６に表示される。
【００６７】
次に、本実施形態の電子文書表示装置１において行われる画像表示位置の設定例について説明する。
図４は、本実施形態の電子文書表示装置１における画像の表示例を示す図その１である。
【００６８】
図４（ａ）に示すように、文書データファイルの解析により、表示範囲内（ここでは、頁５）に２つの画像（画像１、及び、画像２）の表示指定がなされている場合には、スタイルシートの記載に基づいて、当該２つの画像を左寄せで表示するための表示領域が確保される。一方、図４（ｂ）に示すように、本発明に係る電子文書表示装置１では、次の頁（頁６）を表示する際に、この頁内で引き続き画像２について言及されていることが検出されると、当該画像を表示対象画像に追加し、この頁に画像２を挿入して再度表示させる。
【００６９】
図５は、電子文書表示装置１における画像の表示例その２を示す図である。
図５（ａ）に示すように、画像１がある頁（ここでは、頁５）に表示された後に、以降の頁（ここでは、頁６）で再度言及された場合には、表示例その１と同様に画像１を再度表示させるが、表示例その２では、図５（ｂ）に示すように、同一画像を２度目以降に表示させる場合には、当該画像の表示サイズを１度目の画像表示サイズよりも縮小することとすることができる。このときの縮小率は、例えば、電子文書表示装置１の表示部１６に対する当該画像の占める割合に基づく最大の縮小率（縮小の度合が小さい）と、元の画像サイズに対する割合に基づく最小の縮小率（縮小の度合が大きい）とが設定されることとして、画像の内容が認識でき、且つ、繰り返しの表示により表示領域を大きく占有しない範囲に設定されると良い。また、この縮小表示された画像は、ユーザーによる操作部１５への操作入力などに基づき、元のサイズでの再表示を可能とすることができる。
【００７０】
図６は、電子文書表示装置１における画像の表示例その３を示す図である。
図５で示した表示例その２と同様に、図６（ａ）において、頁５の表示範囲内の文章に表示指定が含まれる画像１及び画像２は、先ず、この頁５で出力される。次に、頁６において、頁５で出力された画像２について引き続き言及されていると判断されて、図６（ｂ）に示すように、この画像２が縮小されて表示されると共に、新たに表示指定がなされている画像３が通常のサイズで表示されている。
【００７１】
ここで、電子文書表示装置１では、表示指定された画像２に係る説明の文章が他の頁でも言及されているか否かの判別については、「画像２」のような明示的に画像を示す語句を検出する他、当該語句が含まれる段落が前後の頁と引き続いて表示されるか否かにより判断する。或いは、この判別方法として、更に、表示指定された段落に記述された語句と、表示範囲内の文章に含まれる語句との類似関係や相関度などを判定してこの画像２を表示させるか否かが判断されることとしても良い。図６（ｂ）の例では、画像２についての記述がなされた段落が頁６にまで続いていることで、画像２を頁６に縮小表示させる判断を行っている。
【００７２】
図７は、電子文書表示装置１における画像の表示例その４を示す図である。
図７（ａ）に示すように、１頁に表示される文章中に複数の画像（画像１、画像２）の表示指定がなされている一方で、画像のサイズが表示部１６のサイズに比較して大き過ぎて複数の画像を同時に表示することが困難な場合などには、電子文書表示装置１は、所定の条件でこのような場合を検出し、所定の時間間隔で、又は、ユーザーの操作部１５への操作入力に基づいて、図７（ａ）及び図７（ｂ）の表示状態を切り替えることで、画像１及び画像２を画像表示領域に交互に表示させる構成とすることができる。
【００７３】
図８は、電子文書表示装置１における画像の表示例その５を示す図である。
一頁に設定可能な画像表示領域の表示部１６のサイズに対する割合の最大値（所定の割合）を予め定めておくことで、図７に示した表示例その４を更に一般化して、表示対象とされた画像の合計サイズが一頁に表示可能に設定された画像表示領域のサイズよりも大きい場合には、表示可能に設定された画像表示領域のサイズに入る範囲内で出現順に画像を表示させ、所定の時間間隔で、又は、ユーザーの操作部１５への操作入力に基づいて、残りの画像の表示に切り替えることが出来る。例えば、画像１、画像２、画像３の３枚の画像が同一の頁（例えば、頁５）で表示対象となっている場合に、設定可能な画像表示領域に２枚の画像までしか表示が出来ない場合には、図８（ａ）に示すように、表示範囲内の文章において先に表示対象画像として現れる画像１及び画像２を先ず表示させ、その後、図８（ｂ）に示すように、画像１及び画像３の表示に切り替える。
【００７４】
このとき、表示画面上に表示された文章中では、画像２及び画像３の表示指定の間に再度画像１について言及されているので、単純に画像１、画像２、画像３の順番で切り替えるだけではなく、画像２及び画像３の表示の間に再度画像１を表示させるように設定することが出来る。また、この場合に、２度目の画像１の表示サイズを縮小してもよいし、表示サイズを変更させず、文章の表示位置が毎回変更されるのを避けることとしても良い。更に、一度表示された画像１の表示位置及び表示サイズをこの画像１の識別情報（例えば、ファイル名）と共にＲＡＭ１３に記憶させておき、２度目の表示の際（頁６）には、同一位置に同一サイズで表示させることとしても良い。
なお、この電子文書表示装置１では、全ての画像を同一頁に表示可能な場合であっても、ユーザーによる操作部１５への操作入力に基づき、全画像の同時表示と、選択された画像の切り替え表示とを切り替えることが可能である。
【００７５】
図９は、電子文書表示装置１における画像の表示例その６を示す図である。
図９（ａ）に示すように、一頁に表示される画像（画像１）のサイズが表示部１６のサイズに比較して大き過ぎて、この画像１を表示すると文章をほとんど表示することが出来なくなるような場合が生じうる。このような場合には、画像１の説明が含まれる段落の文章表示が終了するまでこのような表示状態を継続することで、多くの頁めくり動作が必要となってしまう。そこで、電子文書表示装置１では、例えば、ユーザーの操作部１５への操作入力に基づいて図９（ａ）及び図９（ｂ）の表示状態を切り替え可能とすることで、画像１の表示を一時的に消去させることが出来る。或いは、この頁（頁５）の表示がなされてから所定の経過時間の後に、自動的に画像１の表示を消去する構成としても良い。
【００７６】
図１０は、電子文書表示装置１における画像の表示例その７を示す図である。
表示例その１に示したものと同様に表示範囲の設定を行うと、同一の頁（ここでは、頁５）に複数枚の画像（画像１、画像２）が表示対象となる場合であって、最後の画像（画像２）の説明が含まれる文章の分量がこの頁５に表示される文章全体に対して所定の割合以下である場合や、この画像２の説明が含まれる文章の頁５における分量（字数）が所定の値以下の場合などには、図１０（ａ）に示すように、この画像２の説明文を含む文章の開始位置前に改頁を挿入して、この画像２の説明文を含む文章と画像２とを何れもこの頁５に表示させないようにレイアウトを変更し、図１０（ｂ）に示すように、次の頁６の先頭にこれらの画像２の説明文を含む文章と画像２とを表示させることが出来る。また、画像２を頁５に追加した結果、画像２の説明文が逆に頁５に入らなくなるような場合にも、同様に、画像２の説明文の前に改頁を挿入して、頁６で画像２と画像２の説明文とを同時に表示させるようにレイアウトの変更を行うことが出来る。
【００７７】
図１１は、電子文書表示装置１における画像の表示例その８を示す図である。
複数の領域に分割可能な画像、例えば、一枚の画像に複数のパネルが含まれているような画像が表示対象となっている場合がある。このような場合に、予めこの画像における各領域の位置情報を設定しておくことで、表示範囲の文章中にその画像の一部の領域に対応する説明のみが含まれるときには、その画像から当該一部の領域のみをトリミングして表示させる構成とすることができる。例えば、図１１（ａ）に示すように、画像１が画像１ａ、画像１ｂ、及び、画像１ｃの３つの領域に分割可能な場合には、図１１（ｂ）に示すように、２度目以降の表示の際に、文章中の説明に対応して画像１ａの部分のみを抽出して表示部１６に表示させることで、文章の表示領域を十分に確保することが可能となる。
【００７８】
図１２は、電子文書表示装置１における画像の表示例その９を示す図である。
図１２（ａ）〜（ｃ）に示すように、電子文書表示装置１では、見開き２頁と同様の段組で文章を表示させることが出来る。このような場合には、表示される２頁内の文章で言及されている画像について、当該２頁内に各１枚の画像が表示される。例えば、画像１について言及された文章が頁２〜頁５まで続けられている場合に、頁２、頁３、頁５にそれぞれ画像１を表示させることで、表示部１６に画像１に関する説明文が表示されている間には、常に１枚の画像１が表示部１６に表示されていることになる。
【００７９】
図１３は、電子文書表示装置１における画像の表示例その１０を示す図である。
図１３（ａ）に示すように、本実施形態の電子文書表示装置１では、画像１についての説明文が頁５から頁６まで続いている場合には、頁６にも画像１が再表示される。ここでは、表示例その２と同様に、画像１が縮小表示されている。しかしながら、例えば、小説の挿絵のように、必ずしも複数頁に亘って画像を表示させる必要がないものもある。このような場合に、電子文書表示装置１では、ユーザーによる操作部１５からの操作入力により、図１３（ｂ）に示すように、２頁目以降に画像を表示させない設定を行うことが出来る。
【００８０】
図１４は、表示部１６に表示される画像表示モードの切り替え設定画面の例を示す図である。
表示部１６に画像表示モードの選択設定画面が表示されると、ユーザーは、操作部１５への操作入力により、通常モード、又は、カスタマイズモードの何れかを選択することができる。カスタマイズモードが選択されると、図１３（ｂ）に示したように、画像についての説明が続いている間には、複数頁に亘って当該画像が表示され続け、通常モードが選択されると、図１３（ａ）に示したように、画像は、文章中で表示指定がなされた箇所でのみ表示される。
【００８１】
次に、上記の画像表示機能を備えた電子文書表示装置１による電子文書の表示動作について説明する。
図１５及び図１６は、電子文書表示装置１のＣＰＵ１１が実行する電子文書表示制御処理の制御手順を示すフローチャートである。
【００８２】
この電子文書表示制御処理は、ユーザーにより指定された電子文書の指定頁の表示操作が入力された場合に開始される。
電子文書表示制御処理が開始されると、ＣＰＵ１１は、先ず、指定された電子文書データを読み出す（ステップＳ１０１）。それから、ＣＰＵ１１は、当該電子文書データの指定頁部分のデータを解析して従来通りにレイアウトの設定を行う（ステップＳ１０２）。
【００８３】
ＣＰＵ１１は、レイアウト設定がなされた表示範囲内の文章（表示文章）に対応する画像がレイアウト設定内に含まれているか否かを判別する（ステップＳ１０３）。具体的には、ＣＰＵ１１は、表示文章から対応する画像を全て検出する。そして、これらの画像が、電子文書データの画像表示指定のみに基づいて設定されたレイアウト内に全て含まれているか否かを判別する。全ての画像が含まれていると判別された場合には、ＣＰＵ１１の処理は、ステップＳ１１２に移行する。
【００８４】
一方、全ての画像が含まれていないと判別された場合には、ＣＰＵ１１の処理は、ステップＳ１０４に移行する。表示文章に対応する全ての画像が含まれていない場合としては、既に前の頁で表示された画像について言及された説明文が含まれている場合と、表示範囲で説明されている内容に対応する画像が表示範囲内に入っていない、即ち、次の頁以降に含まれる場合とがある。
【００８５】
ステップＳ１０４の処理に移行すると、ＣＰＵ１１は、表示範囲内の文章で言及された画像を全て表示する設定であるか、即ち、画像表示設定においてカスタマイズモードが選択されているか否かを判別する。カスタマイズモードであると判別された場合には、当該画像を表示対象画像に加え、また、表示対象画像のうち、再表示画像の表示サイズを一度目の表示より縮小して設定する（ステップＳ１０５）。それから、ＣＰＵ１１の処理は、ステップＳ１０６へ移行する。一方、カスタマイズモードではないと判別された場合には、ＣＰＵ１１の処理は、そのままステップＳ１１２へ移行する。
【００８６】
ステップＳ１０６の処理では、ＣＰＵ１１は、表示範囲内の表示対象画像が複数であるか否かを判別する。そして、表示対象画像が複数であると判別された場合には、ＣＰＵ１１は、これらの全ての表示対象画像を表示範囲内に表示可能な設定となっているか否かを判別する（ステップＳ１０７）。全ての表示対象画像を表示範囲内に表示可能な設定となっている場合には、当該全ての画像の表示領域を表示範囲内に確保し、必要に応じて当初設定されたレイアウトを変更する（ステップＳ１０８）。そして、ＣＰＵ１１の処理は、ステップＳ１１０へ移行する。また、ステップＳ１０６の判別処理で、表示対象画像が１枚のみであると判別された場合には、ＣＰＵ１１の処理は、ステップＳ１０８に移行し、ＣＰＵ１１は、この１枚の画像の表示領域を表示範囲内に確保し、必要に応じて当初設定されたレイアウトを変更する。その後、ＣＰＵ１１の処理は、ステップＳ１１０に移行する。
【００８７】
一方、ステップＳ１０７の判別処理で、表示対象画像を全て表示可能な表示領域を設定することが可能ではないと判別された場合、即ち、表示部１６のサイズに基づいて設定された画像の最大表示範囲より表示対象画像の合計表示サイズのほうが大きいと判別された場合には、ＣＰＵ１１は、当該最大表示範囲内で設定可能な画像表示領域を確保し、当該画像表示領域に基づいて、必要に応じて当初設定されたレイアウトを変更する（ステップＳ１０９）。また、ＣＰＵ１１は、このとき、設定された画像表示領域に表示対象画像を表示させる順番を設定する。それから、ＣＰＵ１１の処理は、ステップＳ１１０に移行する。
【００８８】
ステップＳ１１０の処理では、ＣＰＵ１１は、ステップＳ１０８、Ｓ１０９の処理で必要に応じて変更されたレイアウト設定において、頁内最後の画像に対応する文章が、次頁にまで続いており、且つ、この最後の画像に対応する文章が頁内の全文章に占める割合が所定の値以下であるか否かを判別する。何れかの条件が満たされていないと判別された場合には、ＣＰＵ１１の処理は、ステップＳ１１２へ移行する。ステップＳ１１０の判別処理で、何れの条件も満たされていると判別された場合には、ＣＰＵ１１は、この頁内最後の画像に対応する文章の開始位置前に改頁を挿入し、この頁内最後の画像と、対応する記述との表示位置を次の頁に移動させる（ステップＳ１１１）。そして、ＣＰＵ１１の処理は、ステップＳ１１２に移行する。
【００８９】
ＣＰＵ１１の処理がステップＳ１１２に移行すると、ＣＰＵ１１は、設定、及び、必要に応じて変更されたレイアウトに従って指定された頁の表示を出力する。そして、ＣＰＵ１１は、電子文書表示制御処理を終了する。
【００９０】
次に、電子文書表示装置１から表示内容をプリンターに送り、紙面に出力する際の出力設定について説明する。
【００９１】
図１７は、表示内容の出力が小冊子設定の場合の印刷設定状態を示す図である。
プリンターを用いて記録紙に、電子文書表示装置１の表示データに基づく見開き二頁の小冊子印刷を行う場合には、実際の印刷位置ではなく、見開きの二頁内（出力範囲内）に記述された文章と対応する画像が含まれるように画像の配置（出力レイアウト）が行われる。例えば、６頁の小冊子の場合には、頁２及び頁３、頁４及び頁５がそれぞれ見開きの頁となる。図１２に示した画像の表示例その９と同様の電子文書を印刷する場合には、画像１に係る文章が頁２から頁５までの間続いているので、頁２及び頁４にそれぞれこの画像１が表示されるように設定される。
即ち、図１７（ａ）、（ｂ）に示すように、記録紙の一枚目には、表に頁１が印刷され、裏に画像１を含む頁２が印刷される。また、図１７（ｃ）、（ｄ）に示すように、記録紙の二枚目には、表に頁６及び頁３が印刷され、裏には、画像１を含んだ頁４及び頁６が印刷される。
【００９２】
以上のように、本実施形態の電子文書表示装置１によれば、テキストデータと画像データとを含む電子文書を表示部１６の表示画面への表示する際に、電子文書データであるＥＰＵＢファイルの内容を解析して表示レイアウトを設定する。このとき、表示画面への表示範囲内に含まれるテキストに対応する画像が同じ表示範囲内に含まれるか否かを判別し、テキストに対応する画像が含まれていないと判別された場合には、当該画像を表示範囲内に追加することで、表示範囲内に必ずテキストに対応する画像が示されるように表示レイアウトが設定される。従って、ユーザーは、テキストを読みながら同時に対応する画像を参照することが出来るので、栞の設定を行ったり、リンクを辿ったりすることで複数の表示画面を行き来する手間を省くことが出来、容易に電子文書を読むことが出来る。
【００９３】
また、画像に対応する説明文のテキストが複数の表示範囲に亘り、複数回画像が表示されることになる場合には、二度目以降の表示の際に、適宜画像の表示サイズを縮小することで、テキストの表示領域を不必要に減らさないようにしつつ、必要な画像を参照することが出来る。
【００９４】
また、画像の表示サイズが表示部１６の表示画面のサイズと比較して大き過ぎる場合には、適宜なサイズまで縮小して表示し、必要な場合にのみ拡大可能とすることで、説明文のテキストが示す画像自体の参照を常に可能としつつ、テキストの表示領域を圧迫しない表示レイアウトとすることができる。
【００９５】
また、複数の画像に対応するテキストが一の表示画面内に含まれる場合には、常に複数の画像を表示させるだけではなく、当該複数の画像を適宜切り替えながら順番に表示させることで、必要な画像を対応するテキストと同時に同一表示画面内に表示させるとともに、多くの画像によってテキストの表示領域を圧迫しない表示レイアウトとすることができる。
【００９６】
また、複数の画像を同時に表示させる必要があるか、交互に何れかが表示されればよいかを適宜判断して選択的に表示画面の表示レイアウトを切り替えることが出来る。
【００９７】
特に、操作部１５へのユーザーの操作入力に基づいて表示画面に表示させる画像を切り替えることで、ユーザーが必要なタイミングで必要な画像を対応するテキストと共に選択的に表示画面に表示させることが出来る。
【００９８】
或いは、ユーザーが電子文書を読む速度がある程度定まっている場合には、予め設定された時間間隔で自動的に画像を切り替えることで、ユーザーに余分な操作を行わせる必要もなく、ユーザーは、快適に必要な画像を参照しながら電子文書を読むことが出来る。
【００９９】
また、複数の画像に各々対応するテキストが同一の表示範囲内に含まれる場合に、各々のテキストの分量を算出し、このようなテキスト部分のうち最後のものの分量が所定の範囲より小さい場合には、無理に当該画像を同一表示範囲内に含ませず、改頁を挿入してテキスト部分を次の頁に表示させる表示レイアウトに変更することで、一の表示画面内に画像が詰まった窮屈な表示が続くことを避けることが出来る。
【０１００】
また、この電子文書表示装置１では、表示範囲内に含まれない画像を追加するか、又は、表示範囲内に含まれるテキストを次の頁に移動させるかの判別を設定条件に基づいて自動的に行うので、ユーザーに余計な操作の負担をかけずに適切な表示方法が選択されて、ユーザーは快適に電子文書を読むことができる。
【０１０１】
また、ユーザーが最早画像を参照する必要がなくなった場合に適宜当該画像を消去することが出来るので、画像を表示し続けることでテキストがなかなか進まずに頁めくりの頻度が無駄に増えることを抑えることが出来る。
【０１０２】
また、このような画像の消去は、所定の経過時間の経過後に自動的に行われることで、ユーザーが消去操作を行う手間を必要としない。また、一度消去、縮小された画像であってもユーザーが再び参照する必要がある場合には、随時呼び出して再表示させることが出来るので、表示がなくなった結果結局リンクを辿ったりして別途画像を参照しなければならない事態を避けることが出来る。
【０１０３】
また、一度表示された画像の表示箇所や表示サイズを記憶しておき、同一箇所に再表示させることで、ユーザーが違和感無く同一画像を参照することが出来る。
【０１０４】
また、電子文書表示装置１には、ＰＤＦのような予め表示レイアウトが定められた電子文書も表示させることが可能であり、電子文書表示装置１では、自動的に表示レイアウトの設定が可能な文書か否かを判別して可能な場合にのみ上記の表示レイアウトの設定を行うことで、ユーザーに不要な選択の手間をかけさせることがない。
【０１０５】
また、各画像に対応するテキスト範囲を当該画像の表示指定がなされた段落、又は、当該画像について明示的に記載されて言及されている段落のテキストとすることで、電子文書表示装置１に判別に係る過大な負荷をかけることなく適切な範囲で必要な画像を継続して表示させることが出来る。
【０１０６】
また、上記のような電子文書をプリント出力する場合には、複数頁の割付印刷や、印刷順序と閲覧時に見開きとなる頁の組み合わせとが異なるような小冊子印刷設定の場合でも、見開き頁内に必要な画像が１つずつ含まれるように表示レイアウトを設定することが出来るので、電子文書を紙に出力して読む場合でも上記と同様にテキストに対応する画像を同時に参照しながら文書を読むことが出来る。
【０１０７】
なお、本発明は、上記実施の形態に限られるものではなく、様々な変更が可能である。
例えば、上記実施の形態では、表示部１６の表示画面に一頁ずつ区切って表示させる場合について説明したが、ＸＨＴＭＬファイルやＨＴＭＬファイルを表示する場合に、頁の区切りとは関係なくユーザーによる操作部１５への操作入力に基づいて指定された任意の開始位置から表示画面に表示可能な表示範囲の電子文書データを表示させる場合についても同様に本発明を適用することが出来る。
【０１０８】
また、上記実施の形態では、表示画面への表示範囲（各頁）ごとに順番にテキストと、当該テキストに対応する画像とを検出して、テキストに対応する画像が足りない場合には当該画像を追加する形で各頁の表示レイアウトを定めていく形式について説明したが、新たな画像の表示指定がなされるごとに以降のテキストに当該画像に係る説明文が存在するか否かを判別し、説明文が存在する箇所に全て当該画像の表示指定を追加した後に、同一頁に複数の同一画像が含まれた場合には重複画像を削除、又は、移動することで各頁の表示レイアウトを定めていく形式としてもよい。
【０１０９】
また、上記実施の形態では、電子文書表示装置１から電子文書を印刷する場合について示したが、本発明の出力レイアウトの設定は、他の装置から表示部を介さずに直接プリンターに出力する場合にも適用可能である。
また、上記実施の形態の説明では、本発明に係るプログラムのコンピューター読取可能な媒体としてＲＯＭ１２を使用した例を開示したが、この例に限定されない。その他のコンピューター読取可能な媒体として、フラッシュメモリー等の不揮発性メモリー、ＣＤ−ＲＯＭ等の可搬型記録媒体を適用することが可能である。また、本発明に係るプログラムのデータを通信回線を介して提供する媒体として、キャリアウェーブ（搬送波）も本発明に適用される。
【０１１０】
また、上記実施の形態では、全ての画像を左寄せで表示させ、画像の右側にスペースがある場合にはテキストを回りこませて表示させる設定としたが、画像及びテキストの表示様式はこれに限られない。例えば、再表示の画像を右寄せさせることで、再表示であることを示すこととしてもよいし、また、例えば、表示画面の横幅に対する画像の横幅の割合に基づく条件判別により、テキストの回りこみを行わせない場合を含むこととしても良い。その他、上記実施の形態で示した具体的な数値、構成や制御の順番などの細部は、本発明の趣旨を逸脱しない範囲において適宜変更可能である。
【符号の説明】
【０１１１】
１     電子文書表示装置
１１   ＣＰＵ
１２   ＲＯＭ
１２ａ 電子文書表示プログラム
１３   ＲＡＭ
１４   記憶部
１５   操作部
１６   表示部
１７   通信部
【図１】
0005545286.tif 000002
【図２】
0005545286.tif 000003
【図３】
0005545286.tif 000004
【図４】
0005545286.tif 000005
【図５】
0005545286.tif 000006
【図６】
0005545286.tif 000007
【図７】
0005545286.tif 000008
【図８】
0005545286.tif 000009
【図９】
0005545286.tif 000010
【図１０】
0005545286.tif 000011
【図１１】
0005545286.tif 000012
【図１２】
0005545286.tif 000013
【図１３】
0005545286.tif 000014
【図１４】
0005545286.tif 000015
【図１５】
0005545286.tif 000016
【図１６】
0005545286.tif 000017
【図１７】
0005545286.tif 000018